(57)【要約】【課題】仕切部を通して浴槽前床側から浴槽側への空気の流れが良好な浴室ユニットを提供する。【解決手段】浴室ユニットは、湯を溜める浴槽と、開閉可能な扉４０および扉４０を嵌める枠部を有し、浴槽と浴槽に隣接する浴槽前床とを仕切る仕切部と、を備える。枠部の上枠４３が、浴槽前床側の天井面６２ｄから上方へ突出するように設けられている。【選択図】図３
2019143413.tif 000002
【特許請求の範囲】
【請求項１】
湯を溜める浴槽と、
開閉可能な扉および前記扉を嵌める枠部を有し、前記浴槽と前記浴槽に隣接する浴槽前床とを仕切る仕切部と、を備える浴室ユニットにおいて、
前記枠部の上枠が、前記浴槽前床側の天井面から上方へ突出するように設けられていることを特徴とする浴室ユニット。
【請求項２】
前記上枠が、前記浴槽側の天井面から上方へ突出するように設けられており、
前記浴槽側の天井面が前記浴槽前床側の天井面よりも高いことを特徴とする請求項１に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された浴槽前床を有する。浴室ユニットは、周囲を壁パネル、上方を天井パネルで覆われている。浴室ユニット内の空間には、浴槽のほか、洗面器やトイレが設けられることもあり、ユーザがより快適に浴室ユニットを利用するための工夫がなされている。
【０００３】
例えば、特許文献１には、浴槽と浴槽前床とを仕切る仕切部としてサッシを設けた浴室ユニットが開示されている。サッシは、枠部と、枠部にスライド可能に支持された障子とからなる。サッシは、浴槽の上縁部、補強部材を介して壁面、および上部化粧カバーを介して天井面に接触して支持されている。
【先行技術文献】
【特許文献】
【０００４】
【特許文献１】特開２００９−１４４４３３号公報
【発明の概要】
【発明が解決しようとする課題】
【０００５】
特許文献１に記載の浴室ユニットは、障子を嵌める枠部における上枠が天井面より下側にあり、上枠の側面が天井面の下側に露出し、浴槽前床および浴槽の間の空間を遮る構成となっていた。
【０００６】
ところで、浴槽の上方の天井には、湿気を外部へ排出するための換気扇が設けられることが多く、換気扇を動作させたときに、仕切部に形成される隙間を通して浴槽前床側から浴槽側へ空気が流れる。上枠と障子との間の隙間を流れる空気は、浴槽前床側の上枠の側面の下端から吸い込まれるが、上枠の下端より上側の天井面付近の空気は下方向へ引き込まれ、逆に上枠の下端より下側の空気は上方向へ引き込まれる。
【０００７】
このように、上枠と障子との間の隙間に向けて、下方向および上方向に引き込まれる空気がぶつかり合い、空気の流れが乱れて抵抗が生じてしまうため、浴槽前床側から浴槽側への空気の流れが悪くなってしまうという問題点があった。
【０００８】
本発明は、斯かる事情に鑑みてなされたものであり、その目的とするところは、仕切部を通して浴槽前床側から浴槽側への空気の流れが良好な浴室ユニットを提供することにある。
【課題を解決するための手段】
【０００９】
本発明に係る浴室ユニットは、湯を溜める浴槽と、開閉可能な扉および前記扉を嵌める枠部を有し、前記浴槽と前記浴槽に隣接する浴槽前床とを仕切る仕切部と、を備える浴室ユニットにおいて、前記枠部の上枠が、前記浴槽前床側の天井面から上方へ突出するように設けられていることを特徴とする。
【発明の効果】
【００１０】
本発明によれば、浴室ユニットは、仕切部を通して浴槽前床側から浴槽側への空気の流れが良好になる。
【図面の簡単な説明】
【００１１】
【図１】実施形態に係る浴室ユニットの外観を示す斜視図である。
【図２】浴室ユニットの上面断面図である。
【図３】枠部の上枠部分における縦断面図である。
【図４】図４（ａ）は図３に示すＡ−Ａ線による枠部の上枠部分における断面図であり、図４（ｂ）はＢ−Ｂ線による枠部の上枠部分における断面図である。
【図５】上枠部分における機能を説明するための模式図である。
【図６】変形例に係る浴室ユニットの枠部の上枠部分における縦断面図である。
【図７】別の変形例に係る浴室ユニットの枠部の上枠部分における縦断面図である。
【発明を実施するための形態】
【００１２】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は実施形態に係る浴室ユニット１００の外観を示す斜視図であり、図２は浴室ユニット１００の上面断面図である。浴室ユニット１００は、浴槽１、シャワー装置２、給水装置３、仕切部４、浴槽前床５０および壁部６０等を有する。浴槽１は、平面視矩形状をなし、湯を溜めることができる深皿状である。浴槽１は、上縁部１０に配設された壁部６０および仕切部４によって周囲が覆われ、上方を天井パネル６１によって覆われている。壁部６０は、浴槽１の周囲において、浴槽１の長手方向に沿う一側に配設された壁部６０ａ、浴槽１の長手方向の両端部であって壁部６０ａの両側に配設される壁部６０ｂおよび６０ｃで構成されている。
【００１４】
浴槽１は、底部１１に排水栓１２、および内側面等にオーバーフロー栓（図示略）を有し、排水栓１２を閉状態にして浴槽１に湯を溜めることができ、排水栓１２を開状態にして浴槽１から湯を抜く。浴槽１の長手方向の一端側における壁部６０ｂには、シャワー装置２および給水装置３が配設されている。ユーザは、浴槽１内において、シャワー装置２からの湯水を浴び、給水装置３によって浴槽１に湯を溜めて入浴する。
【００１５】
浴槽前床５０は、ユーザが脱衣や着衣等を行ったり、衣類を乾かしたりするための空間を提供する。浴槽前床５０には洗面器やトイレ設備などを配置しても良い。浴槽前床５０は、水の受け皿として機能させるものではなく、浴槽前床５０の部分における壁部６０ｄには、収納棚６４などを配置し、衣類やタオルなどを収納する。尚、浴槽前床５０は、水の受け皿となるものではないため、排水口を設ける必要はないが、床面の洗い流しのために排水口を設けてもよい。
【００１６】
仕切部４は、浴槽１の上縁部１０の４辺のうち、浴槽１に隣接する浴槽前床５０側の一辺に設けられており、壁部６０ａに対向する。仕切部４は、開閉可能な引違い戸である扉４０を有しており、浴槽１と浴槽前床５０とは、間仕切りとして扉４０によって仕切られている。浴室ユニット１００への入り口６３には、引き戸である開閉扉６３ａが設けられ、入り口６３を開閉することができる。尚、開閉扉６３ａは引き戸に限られず、開き戸、引違い戸、折れ戸などであってもよい。
【００１７】
扉４０は、内障子４０ａおよび外障子４０ｂを有している。内障子４０ａおよび外障子４０ｂは、長方形状に組み立てられた戸先框、戸尻框、下框および上框の内側にガラス製または樹脂製等の板を嵌め込んで構成されている。扉４０の内障子４０ａおよび外障子４０ｂは、枠部４２に嵌め込まれており、両障子ともスライドさせることにより開閉することができる。枠部４２は、浴槽１の上縁部１０から天井パネル６１にかけて設けられている。
【００１８】
枠部４２は、浴槽前床５０から見て左右の縦枠、下枠、および上枠を有しており、浴槽１の長手方向に沿う他側に配設されている。枠部４２の左右の縦枠は、壁部６０ｂおよび６０ｃに固定されている。枠部４２の下枠は、浴槽１の上縁部１０上に添うように、左右の縦枠間に設けられている。枠部４２の上枠は、左右の縦枠の上端部に連結されている。
【００１９】
図３は枠部４２の上枠４３部分における縦断面図であり、図４（ａ）は図３に示すＡ−Ａ線による枠部４２の上枠４３部分における断面図であり、図４（ｂ）はＢ−Ｂ線による枠部４２の上枠４３部分における断面図である。図３において、紙面の左右方向は見込み方向であり、紙面に垂直な方向は見付け方向である。内障子４０ａは、戸先框および戸尻框の上部に取り付けられた車輪部４１を有している。車輪部４１は、戸先框および戸尻框の上部に固定された本体部４１ａと、本体部４１ａに見込み方向の軸回りに回転可能に支持される車輪４１ｂとを有する。車輪４１ｂは、上枠４３に設けたレール部４３ａに載せられている。
【００２０】
レール部４３ａは、細長い板状をなし、見込み方向に車輪４１ｂが載せられる程度の幅寸法を有し、上枠４３の全長に亘って延びる。内障子４０ａは、レール部４３ａによって支持されており、車輪４１ｂが回転しながらレール部４３ａを走行することによって開閉する。同様に、外障子４０ｂにも車輪部４１が設けられており、外障子４０ｂは、レール部４３ａによって支持されており、車輪４１ｂが回転しながらレール部４３ａを走行することによって開閉する。
【００２１】
上枠４３は、上述のレール部４３ａおよび基体部４３ｂを有する。基体部４３ｂは、断面が矩形状をなし、中空の筒状部材であり、見付け方向に延びている。基体部４３ｂの浴槽１側の側壁部４３ｃは、浴槽１側の端部から下方に延びている。また、浴槽前床５０側の側壁部４３ｄは、浴槽前床５０側の端部から下方に延びる。側壁部４３ｄの下端部には見込み方向へ延びるアングルピース４３ｅが設けられている。側壁部４３ｃおよび側壁部４３ｄの間に、上述のレール部４３ａが設けられている。上枠４３の側壁部４３ｃに天井パネル６１の端部が突き合わされ、側壁部４３ｄに天井パネル６２の端部が突き合わされている。
【００２２】
天井パネル６１は、芯材６１ａおよび表面材６１ｂを有する。芯材６１ａは、例えば石膏ボード等の材料が用いられ、天井パネル６１の面外方向への変形を抑制する。表面材６１ｂは、芯材６１ａの表面に貼り合わされており、例えば鋼板シート等の薄い金属製シートであり、浴室ユニット１００内の湿気を通さない材質とする。表面材６１ｂの端部６１ｃは、裏面側へ屈曲して上枠４３の側壁部４３ｃに沿っており、更に見込み方向に屈曲して基体部４３ｂの上面に沿うように形成されている。浴槽１側の天井面６１ｄは、天井パネル６１の表面材６１ｂにおける浴槽１を望む表面として表われる。尚、天井パネル６１の芯材６１ａの裏面には保温材シート（図示略）が貼り付けられる。
【００２３】
上枠４３は、浴槽１側の天井面６１ｄから上方へ突出するように設けられている。天井面６１ｄは、側壁部４３ｃにおける上下方向の中途部からやや上寄りに位置している。このため、天井面６１ｄから下側の側壁部４３ｃは、浴槽１側の内部空間に露出している。
【００２４】
天井パネル６２は、芯材６２ａおよび表面材６２ｂを有する。芯材６２ａは、例えば石膏ボード等の材料が用いられ、天井パネル６２の面外方向への変形を抑制する。表面材６２ｂは、芯材６２ａの表面に貼り合わされており、例えば鋼板シート等の薄い金属製シートであり、浴室ユニット１００内の湿気を通さない材質とする。表面材６２ｂは、アングルピース４３ｅに接触している。表面材６２ｂの端部６２ｃは、裏面側へ屈曲して上枠４３の側壁部４３ｄに沿っており、更に見込み方向に屈曲して基体部４３ｂの上面に沿うように形成されている。浴槽前床５０側の天井面６２ｄは、天井パネル６２の表面材６２ｂにおける浴槽前床５０を望む表面として表われる。尚、天井パネル６２の芯材６２ａの裏面には保温材シート（図示略）が貼り付けられる。
【００２５】
上枠４３は、浴槽前床５０側の天井面６２ｄから上方へ突出するように設けられている。天井面６２ｄは、側壁部４３ｄにおける上下方向の下端部に位置している。このため、側壁部４３ｄは、天井面６２ｄに隠れており、浴槽前床５０側の内部空間に露出していない。見込方向に延びるアングルピース４３ｅは、浴槽前床５０側の内部空間に露出し、天井面６２ｄの一部となっている。
【００２６】
浴槽１側の天井面６１ｄは、側壁部４３ｃにおける上下方向の中途部からやや上寄りに位置し、浴槽前床５０側の天井面６２ｄは、側壁部４３ｄにおける上下方向の下端部に位置している。このため、浴槽１側の天井面６１ｄは、浴槽前床５０側の天井面６２ｄよりも高い位置にある。
【００２７】
次に浴室ユニット１００の作用について説明する。図５は、上枠４３部分における機能を説明するための模式図である。図５は、図４に示す上枠４３部分における縦断面図に相当し、扉４０を閉状態として外障子４０ｂを含む断面を示している。浴槽１側において湯水を用いて入浴することによって発生した湿気を除去するために、浴槽１側で換気扇を動作させると、浴槽前床５０の空気が浴槽１側へ引き込まれる。仕切部４には、適宜、空気を通流するためのガラリを設けるが、上枠４３部分に生じる隙間も空気の通流路となっている。
【００２８】
浴槽前床５０側において、上枠４３に引き込まれる空気は、図５に示す実線の矢印のように放射状に流れる。天井面６２ｄ付近の空気は、天井面６２ｄに沿ってほぼ水平に、上枠４３の側壁部４３ｄの下端部および外障子４０ｂの上部の間の隙間に引き込まれる。また、外障子４０ｂ付近の空気は、外障子４０ｂの浴槽前床５０側の表面に沿ってほぼ鉛直上向きに、上枠４３の側壁部４３ｄの下端部および外障子４０ｂの上部の間の隙間に引き込まれる。上枠４３の側壁部４３ｄの下端部および外障子４０ｂの上部の間の隙間に引き込まれた空気は、上枠４３内を通過して、上枠４３と外障子４０ｂの上部の浴槽１側における隙間から浴槽１側へ流れ込む。
【００２９】
天井面６２ｄ付近の空気が、ほぼ水平方向の気流を形成するので、下向きの気流が形成される場合に比べて、空気の乱れが生じ難く、空気抵抗が抑制されるので、浴槽前床５０側から浴槽１側への空気の流れが良好となる。上枠４３における浴槽前床５０側から浴槽１側への空気の流れが良好となることで、仕切部４に設けるガラリの面積を小さくすることができる。図５は外障子４０ｂを含む断面で見ているが、内障子４０ａを含む断面についても同様である。即ち、内障子４０ａを含む断面でも、天井面６２ｄ付近の空気が、ほぼ水平方向の気流を形成するので、下向きの気流が形成される場合に比べて、空気の乱れが生じ難く、空気抵抗が抑制されるので、浴槽前床５０側から浴槽１側への空気の流れが良好となる。
【００３０】
また、仕切部４に設けられる枠部４２は、浴室ユニット１００内の熱が外部に伝わる熱伝導経路となっている。浴槽前床５０側において、上枠４３の側壁部４３ｄが天井面６２ｄによって隠れていることで、浴槽前床５０側の空間から側壁部４３ｄへ熱が伝わり難く、保温性が良くなる。
【００３１】
浴槽１側においては、天井面６１ｄから下側の側壁部４３ｃが浴槽１側の内部空間に露出している。図５に示す白抜き矢印のように、浴槽１側においてシャワー装置２を使うことによって、清掃時または不意に天井面６１ｄおよび上枠４３の側壁部４３ｃの隅に湯水が降りかかることがある。
【００３２】
天井面６１ｄおよび上枠４３の側壁部４３ｃに降りかかった湯水は、側壁部４３ｃの表面から下方に流れ落ちるため、上枠４３および外障子４０ｂの上部の浴槽１側における隙間から浴槽前床５０側へ流出することが抑制される。図５は外障子４０ｂを含む断面で見ているが、内障子４０ａを含む断面についても同様である。即ち、内障子４０ａを含む断面でも、天井面６１ｄおよび上枠４３の側壁部４３ｃに降りかかった湯水は、側壁部４３ｃの表面から下方に流れ落ちるため、側壁部４３ｃの下端部および内障子４０ａの上部の間の隙間から浴槽前床５０側へ流出することが抑制される。
【００３３】
また、浴槽１側においても、仕切部４に設けられる枠部４２は、浴室ユニット１００内の熱が外部に伝わる熱伝導経路となっている。浴槽１側において、上枠４３の側壁部４３ｃが部分的に天井面６１ｄによって隠れていることで、浴槽１側の空間から側壁部４３ｃへ熱が伝わり難く、保温性が良くなる。
【００３４】
次に、実施形態の浴室ユニット１００の特徴を説明する。
実施形態に係る浴室ユニット１００は、湯を溜める浴槽１と、開閉可能な扉４０および扉４０を嵌める枠部４２を有し、浴槽１と浴槽１に隣接する浴槽前床５０とを仕切る仕切部４と、を備える。枠部４２の上枠４３が、浴槽前床５０側の天井面６２ｄから上方へ突出するように設けられている。これにより、浴室ユニット１００は、仕切部４を通して浴槽前床５０側から浴槽１側への空気の流れが良好となる。
【００３５】
また上枠４３が、浴槽１側の天井面６１ｄから上方へ突出するように設けられている。浴槽１側の天井面６１ｄは、浴槽前床５０側の天井面よりも高くなっている。これにより、浴室ユニット１００は、天井面６１ｄおよび上枠４３の側壁部４３ｃに降りかかった湯水が側壁部４３ｃの表面から下方に流れ落ちるため、浴槽１側から浴槽前床５０側への湯水の流出を抑制することができる。
【００３６】
（変形例）
図６は、変形例に係る浴室ユニット１００の枠部４２の上枠４３部分における縦断面図である。この変形例においては、浴槽１側の天井パネル６１による天井面６１ｄが上枠４３の上面の高さに位置している。したがって、上枠４３の側壁部４３ｃは、ほぼ前面が浴槽１側の空間に露出している。
【００３７】
浴槽前床５０側における天井パネル６２は、上述の実施形態における上枠４３との位置関係と同様に構成されており、上枠４３における浴槽前床５０側から浴槽１側への空気の流れが良好となる。また、浴槽前床５０側において、上枠４３の側壁部４３ｄが天井面６２ｄによって隠れていることで、浴槽前床５０側の空間から側壁部４３ｄへ熱が伝わり難く、保温性が良くなる。
【００３８】
一方、浴槽１側では、浴槽１側の空間へ露出している側壁部４３ｃの高さ寸法が大きくなっているので、天井面６１ｄおよび上枠４３の側壁部４３ｃに降りかかる湯水を側壁部４３ｃによって多く受けとめることができる。これにより、浴室ユニット１００は、浴槽１側から浴槽前床５０側への湯水の流出を抑制することができる。
【００３９】
図７は、別の変形例に係る浴室ユニット１００の枠部４２の上枠４３部分における縦断面図である。この変形例においては、浴槽１側の天井パネル６１による天井面６１ｄが上枠４３の側壁部４３ｃの下端の高さに位置している。浴槽前床５０側における天井パネル６２は、上述の実施形態における上枠４３との位置関係と同様に構成されており、上枠４３における浴槽前床５０側から浴槽１側への空気の流れが良好となり、保温性が良くなる。
【００４０】
一方、浴槽１側では、浴槽１側の天井パネル６１による天井面６１ｄが上枠４３の側壁部４３ｃの下端の高さに位置するため、側壁部４３ｄは、天井面６２ｄに隠れており、浴槽前床５０側の内部空間に露出していない。浴室ユニット１００は、浴槽１側の側壁部４３ｃが天井面６１ｄによって隠れていることで、浴槽１側の空間から側壁部４３ｃへ熱が伝わり難く、保温性が良くなる。
【００４１】
上述の実施形態および変形例においては、扉４０として引違い戸の例を示したが、扉４０は引き戸、折れ戸、開き戸等であってもよい。また、上枠４３の浴槽前床５０側の側壁部４３ｄの下端側の一部が天井面６２ｄよりも下側にあっても、上端側が天井面６２ｄよりも上側にあれば、側壁部４３ｄの全部が天井面６２ｄよりも下側にある場合に比べて、浴槽前床５０側から浴槽１側へ引き込まれる空気の流れが良好となる。
【００４２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４３】
１  浴槽、  ４  仕切部、  ４２  枠部、  ４３  上枠、  ５０  浴槽前床、
６１ｄ  天井面（浴槽側の天井面）、  ６２ｄ  天井面（浴槽前床側の天井面）、
１００  浴室ユニット。
【図１】
2019143413.tif 000003
【図２】
2019143413.tif 000004
【図３】
2019143413.tif 000005
【図４】
2019143413.tif 000006
【図５】
2019143413.tif 000007
【図６】
2019143413.tif 000008
【図７】
2019143413.tif 000009